(57)【要約】【課題】更なる改善を実現することができる蓄電池収納装置の制御方法を提供する。【解決手段】蓄電池パック２００を備える蓄電池収納装置１００の制御方法であって、外部の蓄電池パック２００が蓄電池収納装置１００に設けられた近距離無線通信器１０１の通信範囲内を通過すると、近距離無線通信器１０１を介して外部の蓄電池パック２００を識別する識別子を受信するステップ（ａ）と、識別子と蓄電池収納装置１００に関する装置情報とを対応付けした対応付けデータを、通信器１０２を介してサーバ装置３００に出力するステップ（ｂ）と、を備える。【選択図】図２
2020074112.tif 000002
【特許請求の範囲】
【請求項１】
蓄電池パックを収納する蓄電池収納装置の制御方法であって、
外部の蓄電池パックが前記蓄電池収納装置に設けられた近距離無線通信器の通信範囲内を通過すると、前記近距離無線通信器を介して前記外部の蓄電池パックを識別する識別子を受信するステップ（ａ）と、
前記識別子と前記蓄電池収納装置に関する装置情報とを対応付けした対応付けデータを、前記蓄電池収納装置に設けられた通信器を介してサーバ装置に出力するステップ（ｂ）と、を備える
蓄電池収納装置の制御方法。
【請求項２】
前記ステップ（ｂ）において、前記通信器を介して、前記識別子と、前記識別子を受信した日時情報と、前記装置情報とを対応付けしたデータを、前記対応付けデータとして前記サーバ装置に出力する
請求項１記載の蓄電池収納装置の制御方法。
【請求項３】
さらに、
前記蓄電池収納装置に設けられた受電器を介して外部電源より前記蓄電池パックの充電用電力を受電するステップ（ｃ）と、
前記外部電源からの受電した電力を用いて、前記蓄電池収納装置に設けられ、前記蓄電池パックと電気的に接続する接続器に接続された前記蓄電池パックを前記蓄電池収納装置に設けられた充電器を介して充電するステップ（ｄ）と、を備える
請求項１または２記載の蓄電池収納装置の制御方法。
【請求項４】
さらに、
外部の電気機器と接続し、前記蓄電池収納装置に設けられた放電器を介して前記蓄電池パックの電力を、前記外部の電気機器に供給するステップ（ｅ）を備える
請求項１−３のいずれか１項に記載の蓄電池収納装置の制御方法。
【請求項５】
前記ステップ（ａ）において、前記外部の蓄電池パックが前記近距離無線通信器の通信範囲内を通過したときに、前記近距離無線通信器を介して前記外部の蓄電池パックを識別する識別子に加えて前記外部の蓄電池パックに異常が生じていることを示す異常情報を受信し、
前記ステップ（ｂ）において、前記対応付けデータ、及び、受信した前記異常情報を、前記通信器を介して前記サーバ装置に出力する
請求項１−４のいずれか１項に記載の蓄電池収納装置の制御方法。
【請求項６】
前記異常情報は、前記蓄電池パックが盗難されたことを示す情報を含む
請求項５に記載の蓄電池収納装置の制御方法。
【請求項７】
前記蓄電池収納装置は、
前記通信器及び制御器を備え、前記蓄電池パックを収納するとともに屋内に設けられる第１ユニットと、
前記近距離無線通信器を備え、屋外に設けられる第２ユニットと、に分離され、
前記ステップ（ａ）の後、前記第１ユニットに設けられた受信器を介して、前記第２ユニットに設けられた送信器から送信された前記識別子を受信するステップ（ｆ）を備え、
前記ステップ（ｂ）では、前記受信器より前記識別子を受信すると、前記通信器を介して前記識別子と前記蓄電池収納装置に関する前記装置情報とを対応付けした前記対応付けデータを前記サーバ装置に出力する
請求項１−６のいずれか１項に記載の蓄電池収納装置の制御方法。
【請求項８】
蓄電池パックを収納する蓄電池収納装置において実行されるプログラムであって、
外部の蓄電池パックが前記蓄電池収納装置に設けられた近距離無線通信器の通信範囲内を通過すると、前記近距離無線通信器を介して前記外部の蓄電池パックを識別する識別子を受信させる処理（ａ）と、
前記識別子と前記蓄電池収納装置に関する装置情報とを対応付けした対応付けデータを、前記蓄電池収納装置に設けられた通信器を介してサーバ装置に出力させる処理（ｂ）と、を実行させる
プログラム。
【請求項９】
蓄電池パックを収納する蓄電池収納装置であって、
外部の蓄電池パックに設けられた外部通信器と近距離無線通信を行う近距離無線通信器と、
サーバ装置と通信する通信器と、
前記外部の蓄電池パックが前記近距離無線通信器の通信範囲内を通過すると、前記近距離無線通信器を介して前記外部の蓄電池パックを識別する識別子を受信し、
その後、前記識別子と前記蓄電池収納装置に関する装置情報とを対応付けした対応付けデータを、前記通信器を介して前記サーバ装置に出力する制御器と、を備える
蓄電池収納装置。
【請求項１０】
蓄電池パックを収納する蓄電池収納装置に関する情報を保持するサーバ装置と通信可能な情報端末の制御方法であって、
前記情報端末のユーザにより指定された外部の蓄電池パックが、蓄電池収納装置に設けられた近距離無線通信器の通信範囲内を通過した当該蓄電池収納装置の位置情報を受信するステップ（ａ）と、
受信した前記蓄電池収納装置の位置情報を前記情報端末の表示装置に表示するステップ（ｂ）と、を備える
情報端末の制御方法。
【請求項１１】
前記ステップ（ａ）において、前記蓄電池収納装置の位置情報に加え、前記情報端末のユーザにより指定された外部の蓄電池パックが、前記蓄電池収納装置の前記近距離無線通信器の通信範囲内を通過した当該蓄電池収納装置の位置情報を受信し、
前記ステップ（ｂ）において、前記蓄電池収納装置の位置情報と、前記蓄電池パックが前記蓄電池収納装置の近距離無線通信の通信範囲内を通過した日時情報とを表示する
請求項１０記載の情報端末の制御方法。
【請求項１２】
前記ステップ（ｂ）において、前記蓄電池収納装置の位置情報と前記蓄電池収納装置の近距離無線通信の通信範囲内を通過した日時情報とを対応付けたデータを日時情報に基づき履歴表示する
請求項１０記載の情報端末の制御方法。
【請求項１３】
さらに、
前記外部の蓄電池パックに異常が生じたことを示す異常情報を受信するステップ（ｃ）を含み、
前記ステップ（ｃ）後、ユーザからの前記ステップ（ａ）の実行要求があると、前記ステップ（ａ）を実行する
請求項１０−１２のいずれか１項に記載の情報端末の制御方法。
【請求項１４】
さらに、
前記外部の蓄電池パックに異常が生じたことを示す異常情報を受信するステップ（ｃ）
を含み、
前記ステップ（ａ）及び前記ステップ（ｃ）後、ユーザからの前記ステップ（ｂ）の実行要求があると、前記ステップ（ｂ）を実行する
請求項１０−１２のいずれか１項に記載の情報端末の制御方法。
【請求項１５】
さらに、
前記外部の蓄電池パックに異常が生じたことを示す異常情報を受信するステップ（ｃ）と、
前記異常情報を前記表示装置に表示するステップ（ｄ）と、を備える
請求項１０−１４のいずれか１項に記載の情報端末の制御方法。
【請求項１６】
前記異常情報は、前記蓄電池パックが盗難されたことを示す情報を含む
請求項１３−１５のいずれか１項に記載の情報端末の制御方法。
【請求項１７】
蓄電池パックを収納する蓄電池収納装置に関する情報を保持するサーバ装置と通信可能な情報端末において実行されるプログラムであって、
前記情報端末のユーザにより指定された外部の蓄電池パックが、蓄電池収納装置の近距離無線通信の通信範囲内を通過した当該蓄電池収納装置の位置情報を受信させる処理（ａ）と、
受信した前記蓄電池収納装置の位置情報を前記情報端末の表示装置に表示させる処理（ｂ）と、を備える
プログラム。
【発明の詳細な説明】
【技術分野】
【０００１】
本開示は、蓄電池パックを収納する蓄電池収納装置の制御方法、プログラム、蓄電池収納装置および、情報端末の制御方法に関する。
【背景技術】
【０００２】
従来、盗難防止機能を有するバッテリ装置（以下、「蓄電池パック」という。）が開示されている（特許文献１参照）。
【先行技術文献】
【特許文献】
【０００３】
【特許文献１】国際公開第２０１２／１６５２２０号
【発明の概要】
【発明が解決しようとする課題】
【０００４】
しかしながら、上記特許文献では、更なる改善が必要とされていた。
【課題を解決するための手段】
【０００５】
本開示の一態様に係る蓄電池収納装置の制御方法は、蓄電池パックを収納する蓄電池収納装置の制御方法であって、外部の蓄電池パックが前記蓄電池収納装置に設けられた近距離無線通信器の通信範囲内を通過すると、前記近距離無線通信器を介して前記外部の蓄電池パックを識別する識別子を受信するステップ（ａ）と、前記識別子と前記蓄電池収納装置に関する装置情報とを対応付けした対応付けデータを、前記蓄電池収納装置に設けられた通信器を介してサーバ装置に出力するステップ（ｂ）と、を備える。
【０００６】
本開示の一態様に係る蓄電池収納装置の制御方法は、蓄電池パックを収納する蓄電池収納装置の制御方法であって、外部の蓄電池パックが前記蓄電池収納装置に設けられた近距離無線通信器の通信範囲内に位置すると、前記近距離無線通信器を介して前記外部の蓄電池パックを識別する識別子を受信するステップ（ａ）と、前記識別子と前記蓄電池収納装置に関する装置情報とを対応付けした対応付けデータを、前記蓄電池収納装置に設けられた前記通信器を介して前記サーバ装置に出力するステップ（ｂ）と、を備える。
【発明の効果】
【０００７】
上記態様によれば、更なる改善を実現することができる。
【図面の簡単な説明】
【０００８】
【図１】実施の形態１に係る蓄電池収納装置を含む管理システムの構成を示す概略図である。
【図２】実施の形態１に係る管理システムの構成を示すブロック図である。
【図３】実施の形態１に係る蓄電池パックの構成を示すブロック図である。
【図４】実施の形態１に係るサーバ装置の構成を示すブロック図である。
【図５】実施の形態１に係る情報端末の構成を示すブロック図である。
【図６Ａ】実施の形態１に係る管理システムの動作の一例を説明するための図である。
【図６Ｂ】実施の形態１に係る管理システムの動作の他の一例を説明するための図である。
【図７】実施の形態１に係る管理システムにおいて送受信される情報の流れについて説明するための図である。
【図８】実施の形態１に係る蓄電池収納装置の動作の一例を説明するためのフローチャートである。
【図９Ａ】実施の形態１に係るサーバ装置の動作の一例を説明するためのフローチャートである。
【図９Ｂ】実施の形態１に係るサーバ装置の動作の他の一例を説明するためのフローチャートである。
【図９Ｃ】実施の形態１に係るサーバ装置の動作の他の一例を説明するためのフローチャートである。
【図１０Ａ】実施の形態１に係る情報端末の動作の一例を説明するためのフローチャートである。
【図１０Ｂ】実施の形態１に係る情報端末の動作の他の一例を説明するためのフローチャートである。
【図１０Ｃ】実施の形態１に係る情報端末の動作の他の一例を説明するためのフローチャートである。
【図１１】実施の形態１に係る管理システムにより行われる動作の具体例を説明するための図である。
【図１２】実施の形態１に係る管理システムの具体的な動作の一例を示すシーケンス図である。
【図１３】実施の形態１に係るサーバ装置に蓄積される複数の対応付けデータの一例を示す図である。
【図１４】実施の形態１に係る管理システムの動作が行われたときに、情報端末に表示される表示画面の一例を示す図である。
【図１５】実施の形態２に係る蓄電池収納装置を含む管理システムの構成を示す概略図である。
【図１６】実施の形態２に係る管理システムの構成を示すブロック図である。
【図１７】実施の形態２に係る管理システムの動作の概略を説明するための図である。
【発明を実施するための形態】
【０００９】
（本発明の基礎となった知見）
本発明者は、「背景技術」の欄において記載した、バッテリ装置に関し、以下の問題が生じることを見出した。
【００１０】
特許文献１では、蓄電池パックが、蓄電池パックからの電力を電動アシスト自転車の駆動装置に供給するためのフレーム装置（電子機器）との間で、電力線を介して接続された場合、電力線を介して高周波信号を出力して通信することで、フレーム装置の認証処理を行うことが開示されている。そして、当該蓄電池パックは、認証処理の結果、フレーム装置が認証されていない場合には、バッテリの電力を供給しないことで、認証されていないフレーム装置では蓄電池パックを使用できなくすることができ、安全性の高い盗難防止機能を提供できるとしている。
【００１１】
しかし、上記特許文献１の技術には、蓄電池パックが盗難されてしまえば、蓄電池パックの所在地を知ることができないため、盗難された蓄電池パックをユーザが取り戻すことは困難である。つまり、特許文献１の技術は、蓄電池パックの盗難後の対応について考慮されていないという課題があった。
【００１２】
以上の検討を踏まえ、本発明者は、上記課題を解決するために、下記の改善策を検討した。
【００１３】
本開示の第１態様に係る蓄電池収納装置の制御方法は、蓄電池パックを収納する蓄電池収納装置の制御方法であって、外部の蓄電池パックが前記近距離無線通信器の通信範囲内に位置すると、前記近距離無線通信器を介して前記外部の蓄電池パックを識別する識別子を受信するステップ（ａ）と、前記識別子と前記蓄電池収納装置に関する装置情報とを対応付けした対応付けデータを、前記通信器を介してサーバ装置に出力するステップ（ｂ）と、を備える。
【００１４】
これによれば、蓄電池収納装置は、近距離無線通信器の通信範囲内に位置する外部の蓄電池パックの識別子を受信し、外部の蓄電池パックの識別子と当該蓄電池収納装置に関する情報とを対応付けしたデータをサーバ装置に出力する。このため、ユーザは、例えば、サーバ装置にデータを問い合わせることにより、当該蓄電池パックが蓄電池収納装置と通信した記録を得ることができる。これにより、例えば、サーバ装置に出力されるデータに蓄電池収納装置の位置に関する情報が含まれていれば、ユーザは、外部の蓄電池パックの位置を知ることができる。つまり、ユーザは、ユーザが所持している蓄電池パックが盗難された場合であっても、盗難された蓄電池パックを取り戻すための情報を得ることができるため、当該蓄電池収納装置は、盗難された蓄電池パックの所在を確認できないという状況の発生を低減することができる。
【００１５】
また、本開示の第２態様に係る蓄電池収納装置の制御方法は、上記第１態様の蓄電池収納装置の制御方法において、前記ステップ（ｂ）において、前記通信器を介して、前記識別子と、前記識別子を受信した日時情報と、前記装置情報とを対応付けしたデータを、前記対応付けデータとして前記サーバ装置に出力してもよい。
【００１６】
このため、ユーザは、蓄電池パックが蓄電池収納装置と近距離無線通信を行った日時情報を知ることができる。
【００１７】
また、本開示の第３態様に係る蓄電池収納装置の制御方法は、上記第１態様または第２態様の蓄電池収納装置の制御方法において、さらに、前記蓄電池収納装置に設けられた受電器を介して外部電源より前記蓄電池パックの充電用電力を受電するステップ（ｃ）と、前記外部電源から受電した電力を用いて、前記蓄電池収納装置に設けられ、前記蓄電池パックと電気的に接続する接続器に接続された前記蓄電池パックを前記蓄電池収納装置に設けられた充電器を介して充電するステップ（ｄ）と、を備えてもよい。
【００１８】
このように、蓄電池収納装置は、外部電源からの電力を用いて複数の蓄電池パックを充電できるため、ユーザは、蓄電池収納装置を、蓄電池パックを充電するための機器として利用できる。
【００１９】
また、本開示の第４態様に係る蓄電池収納装置の制御方法は、上記第１態様−第３態様のいずれか１つの蓄電池収納装置の制御方法において、さらに、外部の電気機器と接続し、前記蓄電池収納装置に設けられた放電器を介して前記蓄電池パックの電力を、前記外部の電気機器に供給するステップ（ｅ）を備えてもよい。
【００２０】
このように、蓄電池収納装置は、複数の蓄電池パックの電力を外部の電気機器に供給できるため、ユーザは、例えば、非常用電源として蓄電池収納装置を利用できる。
【００２１】
また、本開示の第５態様に係る蓄電池収納装置の制御方法は、上記第１態様−第４態様のいずれか１つの蓄電池収納装置の制御方法において、前記ステップ（ａ）において、前記外部の蓄電池パックが前記近距離無線通信器の通信範囲内に位置したときに、前記近距離無線通信器を介して前記外部の蓄電池パックを識別する識別子に加えて前記外部の蓄電池パックに異常が生じていることを示す異常情報を受信し、前記ステップ（ｂ）において、前記対応付けデータ、及び、受信した前記異常情報を、前記通信器を介して前記サーバ装置に出力してもよい。
【００２２】
このため、ユーザは、外部の蓄電池パックに異常が生じていることを知ることができる。
【００２３】
また、本開示の第６態様に係る蓄電池収納装置の制御方法は、上記第５態様の蓄電池収
納装置の制御方法において、前記異常情報は、前記蓄電池パックが盗難されたことを示す情報を含んでもよい。
【００２４】
このため、ユーザは、外部の蓄電池パックが盗難にあったことを知ることができる。
【００２５】
また、本開示の第７態様に係る蓄電池収納装置の制御方法は、上記第１態様−第６態様のいずれか１つの蓄電池収納装置の制御方法において、前記蓄電池収納装置は、前記通信器及び制御器を備え、前記蓄電池パックを収納するとともに屋内に設けられる第１ユニットと、前記近距離無線通信器を備え、屋外に設けられる第２ユニットと、に分離され、前記ステップ（ａ）の後、前記第１ユニットに設けられた受信器を介して、前記第２ユニットに設けられた送信器から送信された前記識別子を受信するステップ（ｆ）を備え、前記ステップ（ｂ）では、前記受信器より前記識別子を受信すると、前記通信器を介して前記識別子と前記蓄電池収納装置に関する前記装置情報とを対応付けした前記対応付けデータを前記サーバ装置に出力してもよい。
【００２６】
このように、蓄電池収納装置は、第１ユニットと第２ユニットとに分離されることで、屋外に近距離無線通信を行う第２ユニットを配置することができ、外部の蓄電池パックとの近距離無線通信を感度よく行うことができる。
【００２７】
また、本開示の第８態様に係るプログラムは、蓄電池パックを収納する蓄電池収納装置において実行されるプログラムであって、外部の蓄電池パックが前記近距離無線通信器の通信範囲内に位置すると、前記近距離無線通信器を介して前記外部の蓄電池パックを識別する識別子を受信させる処理（ａ）と、前記識別子と前記蓄電池収納装置に関する装置情報とを対応付けした対応付けデータを、前記通信器を介してサーバ装置に出力させる処理（ｂ）と、を実行させる。
【００２８】
これによれば、蓄電池収納装置は、近距離無線通信器の通信範囲内に位置する外部の蓄電池パックの識別子を受信し、外部の蓄電池パックの識別子と当該蓄電池収納装置に関する情報とを対応付けしたデータをサーバ装置に出力する。このため、ユーザは、例えば、サーバ装置にデータを問い合わせることにより、当該蓄電池パックが蓄電池収納装置と通信した記録を得ることができる。これにより、例えば、サーバ装置に出力されるデータに蓄電池収納装置の位置に関する情報が含まれていれば、ユーザは、外部の蓄電池パックの位置を知ることができる。
【００２９】
また、本開示の第９態様に係る蓄電池収納装置は、蓄電池パックを収納する蓄電池収納装置であって、外部の蓄電池パックに設けられた外部通信器と近距離無線通信を行う近距離無線通信器と、サーバ装置と通信する通信器と、前記外部の蓄電池パックが前記近距離無線通信器の通信範囲内に位置すると、前記近距離無線通信器を介して前記外部の蓄電池パックを識別する識別子を受信し、その後、前記識別子と前記蓄電池収納装置に関する装置情報とを対応付けした対応付けデータを、前記通信器を介して前記サーバ装置に出力する制御器と、を備える。
【００３０】
これによれば、蓄電池収納装置は、近距離無線通信器の通信範囲内に位置する外部の蓄電池パックの識別子を受信し、外部の蓄電池パックの識別子と当該蓄電池収納装置に関する情報とを対応付けしたデータをサーバ装置に出力する。このため、ユーザは、例えば、サーバ装置にデータを問い合わせることにより、当該蓄電池パックが蓄電池収納装置と通信した記録を得ることができる。
【００３１】
また、本開示の第１０態様に係る情報端末の制御方法は、蓄電池パックを収納する蓄電池収納装置に関する情報を保持するサーバ装置と通信可能な情報端末の制御方法であって
、前記情報端末のユーザにより指定された外部の蓄電池パックが、蓄電池収納装置に設けられた近距離無線通信器の近距離無線通信の通信範囲内に位置した当該蓄電池収納装置の位置情報を受信するステップ（ａ）と、受信した前記蓄電池収納装置の位置情報を前記情報端末の表示器に表示するステップ（ｂ）と、を備える。
【００３２】
このため、ユーザは、指定した外部の蓄電池パックが近距離無線通信した蓄電池収納装置の位置情報を情報端末の表示画面で確認することができる。
【００３３】
また、本開示の第１１態様に係る情報端末の制御方法は、上記第１０態様の情報端末の制御方法において、前記ステップ（ａ）において、前記蓄電池収納装置の位置情報に加え、前記情報端末のユーザにより指定された外部の蓄電池パックが、前記蓄電池収納装置の近距離無線通信器の通信範囲内に位置した当該蓄電池収納装置の位置情報を受信し、前記ステップ（ｂ）において、前記蓄電池収納装置の位置情報と、前記蓄電池パックが前記蓄電池収納装置の近距離無線通信の通信範囲内に位置した日時情報とを表示してもよい。
【００３４】
このため、ユーザは、指定した外部の蓄電池パックが近距離無線通信した蓄電池収納装置の位置情報と、近距離無線通信した日時情報とを情報端末の表示画面で確認することができる。
【００３５】
また、本開示の第１２態様に係る情報端末の制御方法は、上記第１０態様の情報端末の制御方法において、前記ステップ（ｂ）において、前記蓄電池収納装置の位置情報と前記蓄電池収納装置の近距離無線通信の通信範囲内に位置した日時情報とを対応付けたデータを日時情報に基づき履歴表示してもよい。
【００３６】
このため、ユーザは、指定した外部の蓄電池パックが過去に近距離無線通信した蓄電池収納装置の位置情報と、近距離無線通信した日時情報とによる履歴を、情報端末の表示画面で確認することができる。
【００３７】
また、本開示の第１３態様に係る情報端末の制御方法は、上記第１０態様−第１２態様のいずれか１つの情報端末の制御方法において、さらに、前記外部の蓄電池パックに異常が生じたことを示す異常情報を受信するステップ（ｃ）を含み、前記ステップ（ｃ）後、ユーザからの前記ステップ（ａ）の実行要求があると、前記ステップ（ａ）を実行してもよい。
【００３８】
このため、例えば、情報端末に外部の蓄電池パックに異常が生じたことを示す情報が通知されたときであって、ユーザが当該通知に基づいてステップ（ａ）の実行要求を行ったときに、ステップ（ａ）を実行できる。
【００３９】
また、本開示の第１４態様に係る情報端末の制御方法は、上記第１０態様−第１２態様のいずれか１つの情報端末の制御方法において、さらに、前記外部の蓄電池パックに異常が生じたことを示す異常情報を受信するステップ（ｃ）を含み、前記ステップ（ａ）及び前記ステップ（ｃ）後、ユーザからの前記ステップ（ｂ）の実行要求があると、前記ステップ（ｂ）を実行してもよい。
【００４０】
このため、例えば、情報端末に外部の蓄電池パックに異常が生じたことを示す情報が通知されたときであって、同時に蓄電池収納装置に関する情報が受信されているときに、ユーザが当該通知に基づいてステップ（ｂ）の実行要求を行ったときに、ステップ（ｂ）を実行できる。これにより、ユーザは、外部の蓄電池パックが近距離無線通信した蓄電池収納装置の位置を情報端末の表示画面で確認することができる。
【００４１】
また、本開示の第１５態様に係る情報端末の制御方法は、上記第１０態様−第１４態様のいずれか１つの情報端末の制御方法において、さらに、前記外部の蓄電池パックに異常が生じたことを示す異常情報を受信するステップ（ｃ）と、前記異常情報を前記表示器に表示するステップ（ｄ）と、を備えてもよい。
【００４２】
このため、ユーザは、情報端末の表示画面で異常情報を確認することができる。
【００４３】
また、本開示の第１６態様に係る情報端末の制御方法は、上記第１３態様−第１５態様のいずれか１つの情報端末の制御方法において、前記異常情報は、前記蓄電池パックが盗難されたことを示す情報を含んでもよい。
【００４４】
このため、ユーザは、情報端末の表示画面で蓄電池パックが盗難されたことを確認することができる。
【００４５】
また、本開示の第１７態様に係るプログラムは、蓄電池パックを収納する蓄電池収納装置に関する情報を保持するサーバ装置と通信可能な情報端末において実行されるプログラムであって、前記情報端末のユーザにより指定された外部の蓄電池パックが、蓄電池収納装置の近距離無線通信の通信範囲内に位置した当該蓄電池収納装置の位置情報を受信させる処理（ａ）と、受信した前記蓄電池収納装置の位置情報を前記情報端末の表示装置に表示させる処理（ｂ）と、を実行させる。
【００４６】
このため、ユーザは、指定した外部の蓄電池パックが近距離無線通信した蓄電池収納装置の位置情報を情報端末の表示画面で確認することができる。
【００４７】
以下、添付の図面を参照して、本開示の一態様に係る蓄電池収納装置について、具体的に説明する。
【００４８】
なお、以下で説明する実施の形態は、いずれも本発明の一具体例を示すものである。以下の実施の形態で示される数値、形状、材料、構成要素。構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４９】
（実施の形態１）
以下、図１〜図１４を用いて、実施の形態１を説明する。
【００５０】
［１−１．構成］
まず、図１および図２を用いて、本開示の実施の形態１における蓄電池収納装置を備え、蓄電池パックの位置情報を管理する管理システムの構成の概要について説明する。
【００５１】
図１は、実施の形態１に係る蓄電池収納装置を含む管理システムの構成を示す概略図である。図２は、実施の形態１に係る管理システムの構成を示すブロック図である。
【００５２】
図１および図２に示すように、実施の形態１に係る管理システム１０は、蓄電池収納装置１００と、外部の蓄電池パック２００と、サーバ装置３００とを備える。蓄電池収納装置１００と外部の蓄電池パック２００との間では、近距離無線通信による通信が行われる。蓄電池収納装置１００とサーバ装置３００との間では、インターネットを介して通信が行われる。
【００５３】
［１−１−１．蓄電池収納装置］
蓄電池収納装置１００は、図１に示すように、外部の蓄電池パック２００とは別に、複数の蓄電池パック２００を備える。蓄電池収納装置１００は、当該複数の蓄電池パック２００と電気的に接続されており、当該複数の蓄電池パック２００を充放電するように構成されている。なお、蓄電池収納装置１００は、定置される装置であってもよいし、移動体であってもよい。また、本実施の形態では、蓄電池収納装置１００が備える複数の蓄電池パック２００は、外部の蓄電池パック２００と同一の種類のものであるが、他の種類の蓄電池パックであってもよい。
【００５４】
具体的には、蓄電池収納装置１００は、図２に示すように、近距離無線通信器１０１と、通信器１０２と、制御器１０３とを備える。また、蓄電池収納装置１００は、さらに、複数の接続器１０４と、受電器１０５と、充電器／放電器１０６と、給電器１０７とを備えてもよい。
【００５５】
近距離無線通信器１０１は、外部の蓄電池パック２００に設けられた外部通信器２０４と近距離無線通信を行う。具体的には、近距離無線通信器１０１は、Ｂｌｕｅｔｏｏｔｈ（登録商標）、Ｚｉｇｂｅｅ（登録商標）、Ｗｉ−Ｆｉ（登録商標）などの通信方式による無線通信を行うことが可能な通信モジュールにより実現される。つまり、蓄電池収納装置１００と蓄電池パック２００との間で行われる近距離無線通信は、Ｂｌｕｅｔｏｏｔｈ（登録商標）、Ｚｉｇｂｅｅ（登録商標）、Ｗｉ−Ｆｉ（登録商標）などであり、通信距離が数ｍ〜数十ｍの範囲で行われる無線通信である。
【００５６】
通信器１０２は、サーバ装置３００と通信する。具体的には、通信器１０２は、無線通信によってインターネットに接続し、サーバ装置３００と通信する。通信器１０２が、無線通信であるとき、後述する近距離無線通信器１０１よりも通信範囲の広い無線通信であってもよい。このような無線通信として、ＬＴＥ（登録商標）が例示される。なお、通信器１０２は、有線通信によってインターネットに接続し、サーバ装置３００と通信してもよい。通信器１０２は、例えば、インターネットを介してサーバ装置３００と通信する通信モジュールである。
【００５７】
制御器１０３は、外部の蓄電池パック２００が近距離無線通信器１０１の通信範囲内に位置すると、近距離無線通信器１０１を介して外部の蓄電池パック２００を識別する識別子を受信する。その後、制御器１０３は、受信した識別子と蓄電池収納装置１００に関する情報（以下、装置情報とする）とを対応付けした対応付けデータを、通信器１０２を介してサーバ装置３００に出力する。
【００５８】
具体的には、制御器１０３は、外部の蓄電池パック２００が近距離無線通信器１０１の通信範囲内に位置したか否かを判定する。そして、制御器１０３は、外部の蓄電池パック２００が当該通信範囲内に位置したと判定すると、当該外部の蓄電池パック２００の識別子を含む情報を受信するための受信要求を、近距離無線通信器１０１を介して蓄電池パック２００に送信する。その後、制御器１０３は、情報の受信要求により外部の蓄電池パック２００から送信された識別子などの情報を、近距離無線通信器１０１を介して受信し、受信した情報と制御器１０３が設けられている蓄電池収納装置１００に関する装置情報とを対応付けたデータを、通信器１０２を介してサーバ装置３００に送信する。ここで、装置情報は、蓄電池収納装置１００の位置情報を特定するための情報を含む。蓄電池収納装置１００の位置情報を特定するための情報は、蓄電池収納装置１００の位置情報を直接的に特定する情報であってもよいし、間接的に特定する情報であってもよい。例えば、蓄電池収納装置１００の位置情報を直接的に特定する情報は、蓄電池収納装置１００の位置情報である。蓄電池収納装置１００の位置情報としては、蓄電池収納装置１００の住所、緯度経度情報、ＧＰＳ情報等の位置情報が例示される。また、蓄電池収納装置１００の位置を間接的に特定する情報は、蓄電池収納装置１００の識別子が例示される。蓄電池収納装
置１００の識別子と蓄電池収納装置１００の位置情報とを対応付けしたデータとから蓄電池収納装置１００の位置情報を特定することができる。
【００５９】
一方で、制御器１０３は、外部の蓄電池パック２００が当該通信範囲内に位置していないと判定すると、受信要求を送信しない。なお、識別子と装置情報とを対応付けて送信するとは、識別子と装置情報とを同じタイミングで送信することを含む。
【００６０】
なお、制御器１０３は、外部の蓄電池パック２００が近距離無線通信器１０１の通信範囲内に位置したか否かを判定しなくてもよく、外部の蓄電池パック２００との間で近距離無線接続が確立されたときに、近距離無線通信器１０１を介して外部の蓄電池パック２００を識別する識別子を受信してもよい。よって、制御器１０３は、外部の蓄電池パック２００との間で近距離無線接続が確立されていないときは、何もしない。
【００６１】
また、データをサーバ装置３００に出力するとき、制御器１０３は、通信器１０２を介して、受信した識別子と、当該識別子を受信した日時情報と、装置情報とを対応付けしたデータを対応付けデータとしてサーバ装置３００に出力してもよい。つまり、このときの対応付けデータは、識別子および装置情報に、さらに、当該識別子を受信した日時情報が対応付けられたデータであってもよい。
【００６２】
また、制御器１０３は、外部の蓄電池パック２００が近距離無線通信器１０１の通信範囲内に位置したときに、近距離無線通信器１０１を介して外部の蓄電池パック２００を識別する識別子に加えて外部の蓄電池パック２００に異常が生じていることを示す異常情報を受信すると、対応付けデータ、および、受信した異常情報を、通信器１０２を介してサーバ装置３００に出力してもよい。
【００６３】
なお、制御器１０３は、制御機能を備えるものであればよく、演算処理部（図示せず）と、制御プログラムを記憶する記憶部（図示せず）とを備える。演算処理部としては、ＭＰＵ、ＣＰＵが例示される。記憶部としては、メモリが例示される。制御器１０３は、集中制御を行う単独の制御器で構成されていてもよく、互いに協働して分散制御を行う複数の制御器で構成されていてもよい。
【００６４】
複数の接続器１０４は、複数の蓄電池パック２００のそれぞれと電気的に接続される。具体的には、複数の接続器１０４は、複数の蓄電池パック２００の接続器２０２（後述参照）に設けられる端子と電気的に接続される端子を有し、当該端子に後述する充電器／放電器１０６から供給される電力を供給したり、当該端子を通じて複数の蓄電池パック２００から供給される電力を充電器／放電器１０６へ供給したりする。つまり、複数の接続器１０４は、複数の蓄電池パック２００の接続器２０２の端子と電気的に着脱自在に接続される。また、複数の接続器１０４は、複数の蓄電池パック２００の接続器２０２と機械的に着脱自在に接続されてもよい。
【００６５】
受電器１０５は、外部電源（図示せず）と接続し、外部電源より蓄電池パック２００の充電用電力を受電する。受電器１０５は、例えば、例えば商用電源などの外部電源と電気的に接続されるためのコンセントプラグであり、商用電源から供給される電力を蓄電池パック２００の充電用電力として受電する。なお、外部電源は、商用電源に限らずに、例えば、太陽光発電パネル、風力発電機、発動機を利用した発電機、燃料電池、蓄電池などによる電源であってもよい。
【００６６】
充電器／放電器１０６は、外部電源からの電力を用いて蓄電池パック２００を充電する充電器である。また、充電器／放電器１０６は、蓄電池パック２００の電力を放電させる放電器である。なお、充電器／放電器１０６は、充電器と、放電器とが分離されており、
それぞれが独立した構成であってもよい。
【００６７】
具体的には、充電器／放電器１０６は、受電器１０５により受電された電力を複数の蓄電池パック２００を充電するための電力に変換する。充電器／放電器１０６は、例えば、交流電力を充電に適切な電圧の直流電力に変換する。そして、充電器／放電器１０６は、変換した電力を複数の接続器１０４に電気的に接続されている複数の蓄電池パック２００に出力する充電回路を含む。
【００６８】
また、充電器／放電器１０６は、複数の接続器１０４に電気的に接続されている複数の蓄電池パック２００からの電力を、後述する給電器１０７に給電するための電力に変換する。充電器／放電器１０６は、例えば、適切な電圧の直流電力、または、適切な周波数および電圧の交流電力に変換する。そして、充電器／放電器１０６は、変換した電力を給電器１０７に出力する放電回路を含む。
【００６９】
充電器／放電器１０６は、例えば、ＡＣ／ＤＣコンバータおよびＤＣ／ＡＣインバータなどにより実現される。
【００７０】
給電器１０７は、外部の電気機器（図示せず）と接続し、充電器／放電器１０６を介して複数の蓄電池パック２００の電力を、外部の電気機器に供給する。具体的には、給電器１０７は、本実施の形態では、１００Ｖの交流電力を出力するコンセントである。なお、給電器１０７は、上記コンセントに限らずに、５Ｖの直流電力を出力するＵＳＢ（Ｕｎｉｖｅｒｓａｌ  Ｓｅｒｉａｌ  Ｂｕｓ）端子であってもよいし、Ｑｉ（登録商標）などのワイヤレス給電を行うための給電コイルであってもよい。
【００７１】
［１−１−２．蓄電池パック］
次に、蓄電池パック２００の構成について、図３を用いて説明する。
【００７２】
図３は、実施の形態１に係る蓄電池パックの構成を示すブロック図である。
【００７３】
蓄電池パック２００は、蓄電池２０１と、接続器２０２と、制御器２０３と、外部通信器２０４とを備える。
【００７４】
蓄電池２０１は、複数の単電池が並列および直列に接続されることで構成されている。複数の単電池は、例えば、リチウムイオン二次電池である。
【００７５】
接続器２０２は、互いに異なる複数種類の電気機器に着脱自在に、電気的に接続可能である。また、接続器２０２は、互いに異なる複数種類の電気機器に着脱自在に、機械的に接続可能であってもよい。
【００７６】
制御器２０３は、接続器２０２を介して蓄電池２０１から、接続器２０２に接続されている電気機器への放電と、接続器２０２を介して複数種類の電気機器の一つである充電装置から蓄電池２０１への充電とを制御する。
【００７７】
また、制御器２０３は、蓄電池パック２００に異常が生じているか否かを判定してもよい。制御器２０３は、蓄電池パック２００に異常が生じていると判定したとき、蓄電池パック２００に異常が生じていることを示す異常情報を、外部通信器２０４を介して送信する。また、制御器２０３は、蓄電池パック２００が盗難されたと判定すると、蓄電池パック２００に異常が生じていると判定してもよい。つまり、異常情報は、蓄電池パック２００が盗難されたことを示す情報を含んでいてもよい。
【００７８】
制御器２０３は、蓄電池パック２００が盗難されたか否かの判定において、具体的には、ユーザの認証と蓄電池パック２００が移動しているか否かの判定とを行い、ユーザの認証結果および移動の判定結果を用いて蓄電池パック２００が盗難されたか否かを判定する。例えば、制御器２０３は、スマートフォンなどの情報端末（図示せず）から、後述する外部通信器２０４または他の通信器（図示せず）を介して、ユーザに関する情報を取得することで、蓄電池パック２００を使用しているユーザを認証する。また、例えば、制御器２０３は、蓄電池パック２００が異なる複数の蓄電池収納装置１００と近距離無線通信を行った時間間隔に応じて蓄電池パック２００が移動したと判定してもよいし、蓄電池パック２００が加速度センサを備えていれば当該加速度センサの検出値に応じて蓄電池パック２００が移動したと判定してもよい。
【００７９】
このように、制御器２０３は、ユーザの認証が行われずに蓄電池パック２００が移動したことを検出したときに、蓄電池パック２００が盗難されたと判定する。そして、制御器２０３は、蓄電池パック２００に異常が発生した旨を示す異常情報を当該蓄電池パック２００の識別子とともに外部通信器２０４に送信させる。一方で、制御器２０３は、認証の結果、蓄電池パック２００を使用しているユーザが正規のユーザであると判定すると、蓄電池パック２００に異常が発生していないと判定する。
【００８０】
なお、制御器２０３は、制御機能を備えるものであればよく、演算処理部（図示せず）と、制御プログラムを記憶する記憶部（図示せず）とを備える。演算処理部としては、ＭＰＵ、ＣＰＵが例示される。記憶部としては、メモリが例示される。制御器２０３は、集中制御を行う単独の制御器で構成されていてもよく、互いに協働して分散制御を行う複数の制御器で構成されていてもよい。
【００８１】
外部通信器２０４は、蓄電池収納装置１００の近距離無線通信器１０１と上述した近距離無線通信を行うことが可能である。具体的には、外部通信器２０４は、蓄電池収納装置１００の近距離無線通信器１０１の通信範囲内に位置することで、近距離無線通信器１０１との無線接続が確立されたときに、蓄電池収納装置１００から識別子を含む情報の受信要求を受信すると、蓄電池パック２００の識別子を近距離無線通信器１０１に送信する。また、外部通信器２０４は、蓄電池パック２００に異常が発生すると、蓄電池パック２００に異常が発生した旨を示す情報を当該蓄電池パック２００の識別子とともに送信することを試み、近くの蓄電池収納装置１００と無線接続が確立されたときであって、蓄電池収納装置１００から情報の受信要求を受信したときに、当該情報および識別子を当該蓄電池収納装置１００に送信する。
【００８２】
［１−１−３．サーバ装置］
次に、サーバ装置３００の構成について、図４を用いて説明する。
【００８３】
図４は、実施の形態１に係るサーバ装置の構成を示すブロック図である。
【００８４】
サーバ装置３００は、制御器３０１と、記憶部３０２と、通信器３０３とを備える。
【００８５】
制御器３０１は、通信器３０３を介して蓄電池収納装置１００から受信した対応付けデータを記憶部３０２に蓄積する。つまり、制御器３０１は、異なるタイミングで蓄電池収納装置１００から通信器３０３が受信した複数の対応付けデータを記憶部３０２に記憶させる（図１１参照）。
【００８６】
また、制御器３０１は、所定の対応付けデータを受信すると、受信した対応付けデータに基づき蓄電池パック２００について確認された確認情報を、蓄電池パック２００のユーザに通知する。蓄電池パック２００は、受信した対応付けデータ内の識別子を有する蓄電
池パック２００である。上記確認情報は、蓄電池パック２００の所在が確認された位置情報であり、具体的には、蓄電池パック２００が、蓄電池収納装置１００の通信範囲内に位置した蓄電池収納装置１００の位置情報に対応する。蓄電池収納装置１００の位置情報は、装置情報に含まれる蓄電池収納装置１００の位置情報を特定するための情報から得られる。ユーザへの確認情報の通知は、例えば、ユーザが利用する情報端末へ確認情報を通信器３０３を介して通知することで実行される。具体的には、例えば、蓄電池パック２００に対応付けられているユーザの宛先に、通信器３０３を介して通知する。なお、蓄電池パック２００に対応付けられているユーザの宛先とは、例えば当該ユーザが登録しているサービス上での宛先、当該ユーザのメールアドレスなどである。
【００８７】
具体的には、制御器３０１は、所定の蓄電池パック２００の確認情報の受信要求をユーザが利用する情報端末４００から受信すると、当該情報端末４００に当該確認情報を、通信器３０３を介して送信してもよい。また、制御器３０１は、蓄電池収納装置１００から所定の対応付けデータを受信する度に、対応付けデータ内の識別子を有する蓄電池パック２００を利用しているユーザの情報端末に、蓄電池パック２００の確認情報を、通信器３０３を介して通知してもよい。
【００８８】
なお、制御器３０１は、制御機能を備えるものであればよく、演算処理部（図示せず）と、制御プログラムを記憶する記憶部（図示せず）とを備える。演算処理部としては、ＭＰＵ、ＣＰＵが例示される。記憶部としては、メモリが例示される。制御器３０１は、集中制御を行う単独の制御器で構成されていてもよく、互いに協働して分散制御を行う複数の制御器で構成されていてもよい。
【００８９】
記憶部３０２は、蓄電池収納装置１００から受信した対応付けデータを記憶する。また、記憶部３０２は、ユーザを識別するための識別子と、ユーザが利用している蓄電池パック２００の識別子と、ユーザの情報端末に確認情報を通知するための上記宛先とが対応付けられたユーザ情報を記憶していてもよい。記憶部３０２は、例えば、ＨＤＤ（Ｈａｒｄ
Ｄｉｓｋ  Ｄｒｉｖｅ）、不揮発性のメモリなどの記憶装置により実現される。
【００９０】
通信器３０３は、蓄電池収納装置１００または情報端末４００と通信する。通信器３０３は、例えば、インターネットに通信接続されている通信モジュールである。
【００９１】
なお、サーバ装置３００は、１台の装置から構成されるものだけでなく、複数台の装置から構成されてもよい。また、サーバ装置３００は、インターネットなどのネットワークを通じてソフトウェア、データなどを提供するクラウドコンピューティングを実現する装置の少なくとも一部であってもよい。
【００９２】
［１−１−４．情報端末］
次に、情報端末４００の構成について、図５を用いて説明する。
【００９３】
図５は、実施の形態１に係る情報端末の構成を示すブロック図である。
【００９４】
情報端末４００は、入力器４０１と、表示器４０２と、制御器４０３と、通信器４０４とを備える。情報端末４００は、本実施の形態ではスマートフォンで実現される。なお、情報端末４００は、タブレット端末、ＰＣ（ＰｅｒｓｏｎａｌＣｏｍｐｕｔｅｒ）などで実現されてもよい。
【００９５】
入力器４０１は、ユーザにより入力が行われる入力デバイスであり、当該入力を示す入力信号を生成する。入力器４０１は、例えば、タッチパネル、ボタン、マイクなどにより実現され、ユーザによりタッチパネルに入力されたタッチ入力、ジェスチャ入力などの入
力、ユーザによりボタンが押されたことを示す入力、ユーザが発した音声による入力などを示す入力信号を生成する。
【００９６】
表示器４０２は、制御器４０３により出力された画像を表示する表示画面である。表示器４０２は、例えば、液晶ディスプレイ、有機ＥＬディスプレイなどにより実現される。
【００９７】
制御器４０３は、アプリケーションの実行を行い、実行した結果を表示器４０２に出力する処理部を含む。具体的には、制御器４０３は、サーバ装置３００から蓄電池パック２００について確認された確認情報を、通信器４０４を介して受信する。また、制御器４０３は、確認情報を受信する度に、確認情報の内容を示す画像を生成し、当該画像を表示器４０２に表示させてもよい。また、制御器４０３は、ユーザによる入力に応じて、蓄電池パック２００の確認情報を示す画像を生成し、当該画像を表示器４０２に表示させてもよい。
【００９８】
なお、制御器４０３は、制御機能を備えるものであればよく、演算処理部（図示せず）と、制御プログラムを記憶する記憶部（図示せず）とを備える。演算処理部としては、ＭＰＵ、ＣＰＵが例示される。記憶部としては、メモリが例示される。制御器４０３は、集中制御を行う単独の制御器で構成されていてもよく、互いに協働して分散制御を行う複数の制御器で構成されていてもよい。
【００９９】
通信器４０４は、サーバ装置３００と通信する。通信器４０４は、例えば、携帯電話通信網、Ｗｉ−Ｆｉ（登録商標）、Ｅｔｈｅｒｎｅｔ（登録商標）などを介してインターネットに通信接続できる通信モジュールなどにより実現される。
【０１００】
［１−２．動作］
以上のように構成された管理システム１０の動作の概略について、図６Ａ、図６Ｂおよび図７を用いて以下に説明する。
【０１０１】
図６Ａは、実施の形態１に係る管理システムの動作の一例を説明するための図である。具体的には、図６Ａは、蓄電池パック２００が設けられた移動体５００が盗難され、蓄電池パック２００に異常が生じているときに、管理システム１０で行われる動作について説明するための図である。図７は、実施の形態１に係る管理システムにおいて送受信される情報の流れについて説明するための図である。
【０１０２】
図６Ａに示すように、例えば、蓄電池パック２００が設けられた自転車などの移動体５００がトラック６００の荷台に積まれて移動したとき、蓄電池パック２００では、上述したように、ユーザの認証および移動の判定の結果から盗難されたと判定される。
【０１０３】
盗難されたと判定した蓄電池パック２００は、図６Ａの（１）に示すように、異常が生じたことを示す異常情報を、蓄電池収納装置１００に送信することを試み、蓄電池収納装置１００の通信範囲内に位置したときに、当該異常情報を蓄電池収納装置１００に送信する。なお、蓄電池収納装置１００は屋内または屋外に定置されている。
【０１０４】
次に、図６Ａの（２）に示すように、蓄電池収納装置１００は、蓄電池パック２００から送信された異常情報を受信する。図６Ａの（１）および（２）の動作が行われることにより、図７に示すように、異常情報が含まれるパック情報が蓄電池収納装置１００に近距離無線通信により送信され、パック情報を受信した蓄電池収納装置１００では、受信したパック情報と、パック情報を受信した日時情報と、当該蓄電池収納装置１００が設置されている位置情報とを対応付けた対応付けデータを生成する。
【０１０５】
次に、図６Ａの（３）および図７に示すように、蓄電池収納装置１００は、生成した対応付けデータを、インターネットを通じてサーバ装置３００に送信する。これにより、サーバ装置３００は、対応付けデータを受信する。
【０１０６】
次に、図６Ａの（４）および図７に示すように、サーバ装置３００は、受信した対応付けデータに基づき蓄電池パック２００について確認された確認情報を、蓄電池パック２００を利用しているユーザの情報端末に、通知する。上記確認情報には、蓄電池パック２００の所在が確認された位置情報が含まれるが、本例では、この位置情報と、蓄電池パック２００の所在が確認された日時情報とが含まれる。ここで、蓄電池パック２００の所在が確認された位置情報は、蓄電池パック２００が蓄電池収納装置１００の通信範囲内に位置した蓄電池収納装置１００の位置情報に対応する。蓄電池パック２００の所在が確認された日時情報は、蓄電池パック２００が蓄電池収納装置１００の通信範囲内に位置した日時情報に対応する。なお、上記位置情報及び日時情報は、蓄電池パック２００について確認された確認情報のうち、蓄電池パック２００の所在について確認された情報に含まれる。
【０１０７】
最後に、図６Ａの（５）および図７に示すように、通知を受信した情報端末４００は、通知された確認情報の内容を表示器４０２に表示する。具体的には、情報端末４００は、上記位置情報、日時情報などの通知の内容を表示する。
【０１０８】
このように、蓄電池パック２００に異常が生じていれば、蓄電池収納装置１００の近距離無線通信の通信範囲内を蓄電池パック２００が通過したときに、当該蓄電池収納装置１００の装置情報が蓄電池パック２００の識別子と対応付けられた対応付けデータがサーバ装置３００に送信される。そして、サーバ装置３００が、当該蓄電池パック２００の利用者として登録されているユーザの情報端末に、蓄電池パック２００に異常が生じていることを示す異常情報を確認情報に含めて通知する。
【０１０９】
次に、図６Ｂは、実施の形態１に係る管理システムの動作の他の例を説明するための図である。具体的には、図６Ｂは、蓄電池パック２００が設けられた移動体５００が盗難され、蓄電池パック２００に異常が生じているときに、管理システム１０で行われる動作について説明するための図である。
【０１１０】
本例では、蓄電池収納装置１００Ｄは、車両等の移動体である。具体的には、例えば、貸与用の蓄電池パックを収納し、これを借用者にデリバリーする車両であってもよい。
【０１１１】
本例では、図６Ｂの（１）に示すように、蓄電池パック２００は、異常が生じたことを示す異常情報を移動中の蓄電池収納装置１００に送信することを試み、蓄電池収納装置１００の通信範囲内に位置したときに、当該異常情報を蓄電池収納装置１００に送信する。
【０１１２】
次に、図６Ｂの（２）に示すように、蓄電池収納装置１００は、蓄電池パック２００から送信された異常情報を受信する。図６Ｂの（１）および（２）の動作が行われることにより、図７に示すように、蓄電池パック２００から異常情報が含まれるパック情報が蓄電池収納装置１００に近距離無線通信により送信される。パック情報を受信した蓄電池収納装置１００では、受信したパック情報と、パック情報を受信した日時情報と、パック情報を受信したときの当該蓄電池収納装置１００の位置を示す位置情報とを対応付けた対応付けデータを生成する。
【０１１３】
図６Ｂの（３）、（４）、（５）については、図６Ａの（３）、（４）、（５）と同様である。
【０１１４】
［１−２−１．蓄電池収納装置の動作］
次に、管理システム１０を構成する蓄電池収納装置１００と、サーバ装置３００と、情報端末４００との個別の動作について順に説明する。
【０１１５】
まず、管理システム１０の蓄電池収納装置１００について、その動作を、図８を用いて以下に説明する。
【０１１６】
図８は、実施の形態１に係る蓄電池収納装置の動作の一例を説明するためのフローチャートである。
【０１１７】
まず、蓄電池収納装置１００では、制御器１０３が近距離無線通信器１０１の通信範囲内に位置している、外部の蓄電池パック２００があるか否かを判定する（Ｓ１０１）。
【０１１８】
制御器１０３は、近距離無線通信器１０１の通信範囲内に位置している、外部の蓄電池パック２００があると判定すると（Ｓ１０１でＹｅｓ）、当該外部の蓄電池パック２００の識別子を含む情報であるパック情報を受信する（Ｓ１０２）。このとき、制御器１０３は、外部の蓄電池パック２００に異常が生じていれば、蓄電池パック２００から異常情報をさらに含むパック情報を受信する。つまり、制御器１０３は、ステップＳ１０１でＹｅｓと判定したとき、蓄電池パック２００のパック情報として、蓄電池パック２００の識別子および異常情報のうちの少なくとも識別子を受信する。
【０１１９】
制御器１０３は、受信したパック情報と、制御器１０３が設けられている蓄電池収納装置１００に関する装置情報とを対応付けた対応付けデータを、通信器１０２を介してサーバ装置３００に送信する（Ｓ１０３）。
【０１２０】
［１−２−２．サーバ装置の動作］
次に、管理システム１０のサーバ装置３００の動作を、図９Ａ〜図９Ｃを用いて以下に説明する。
【０１２１】
図９Ａは、実施の形態１に係るサーバ装置の動作の一例を説明するためのフローチャートである。図９Ｂは、実施の形態１に係るサーバ装置の動作の他の一例を説明するためのフローチャートである。図９Ｃは、実施の形態１に係るサーバ装置の動作の他の一例を説明するためのフローチャートである。
【０１２２】
まず、サーバ装置３００の動作の一例について、図９Ａを用いて説明する。
【０１２３】
サーバ装置３００では、制御器３０１が蓄電池収納装置１００から対応付けデータを受信したか否かを判定する（Ｓ２０１）。
【０１２４】
制御器３０１は、蓄電池収納装置１００から対応付けデータを受信したと判定すると（Ｓ２０１でＹｅｓ）、受信した対応付けデータに基づいて蓄電池パック２００について確認された確認情報を、当該蓄電池パック２００のユーザの情報端末に、通信器３０３を介して通知する（Ｓ２０２）。このとき、蓄電池パック２００に対応付けられているユーザの宛先として、当該ユーザが登録しているサービス上での宛先が設定されていれば、制御器３０１は、当該サービス上での宛先に確認情報を通知する。具体的には、ユーザが通知を受信することができるアプリを情報端末４００にインストールしており、当該アプリでのサービスに登録していれば、制御器３０１は、当該アプリのサービス上でのユーザの宛先に通知する。また、蓄電池パック２００に対応付けられている宛先として、ユーザのメールアドレスが設定されていれば、制御器３０１は、当該メールアドレス宛に確認情報を含むｅメールを送信することで、確認情報を通知する。これにより、宛先が設定されている情報端末４００が、確認情報を受信する。
【０１２５】
一方で、制御器３０１は、蓄電池収納装置１００から対応付けデータを受信していないと判定すると（Ｓ２０１でＮｏ）、ステップＳ２０１を繰り返す。つまり、制御器３０１は、蓄電池収納装置１００から対応付けデータを受信するまで待機する。
【０１２６】
このように、図９Ａでは、サーバ装置３００は、対応付けデータを受信する度に、当該対応付けデータ内の識別子を有する蓄電池パック２００について確認された確認情報を、当該蓄電池パックのユーザの情報端末に、プッシュ通知を行っている。
【０１２７】
また、サーバ装置３００は、次に示す図９Ｂのような動作を行ってもよい。サーバ装置３００の動作の他の一例について、図９Ｂを用いて説明する。
【０１２８】
サーバ装置３００では、制御器３０１が情報端末４００から確認情報の受信要求を受信したか否かを判定する（Ｓ２１１）。
【０１２９】
制御器３０１は、情報端末４００から確認情報の受信要求を受信したと判定すると（Ｓ２１１でＹｅｓ）、記憶部３０２に蓄積されている対応付けデータのうちで当該情報端末４００のユーザが利用している蓄電池パック２００の識別子を、ユーザ情報を参照することで特定し、特定した識別子を有する蓄電池パック２００について確認された確認情報を、当該情報端末４００に通知する（Ｓ２１２）。なお、このときの通知の宛先は、ステップＳ２０２と同様であり、宛先が設定されている情報端末４００が、確認情報を受信する。
【０１３０】
一方で、制御器３０１は、情報端末４００から確認情報の受信要求を受信していないと判定すると（Ｓ２１１でＮｏ）、ステップＳ２１１を繰り返す。つまり、制御器３０１は、情報端末４００から受信要求を受信するまで待機する。
【０１３１】
このように、サーバ装置３００は、ユーザの情報端末４００からの受信要求を受信すると、確認情報を通知してもよい。
【０１３２】
また、サーバ装置３００は、次に示す図９Ｃのような動作を行ってもよい。サーバ装置３００の動作の他の一例について、図９Ｃを用いて説明する。
【０１３３】
サーバ装置３００では、制御器３０１が蓄電池収納装置１００から異常情報を受信したか否かを判定する（Ｓ２２１）。
【０１３４】
制御器３０１は、蓄電池収納装置１００から異常情報を受信したと判定すると（Ｓ２２１でＹｅｓ）、受信した異常情報を含む確認情報を、蓄電池パック２００のユーザの情報端末に、通信器３０３を介して通知する（Ｓ２２２）。蓄電池パック２００は、異常情報を含む対応付けデータ内の識別子を有する。
【０１３５】
一方で、制御器３０１は、蓄電池収納装置１００から異常情報を受信していないと判定すると（Ｓ２２１でＮｏ）、ステップＳ２２１を繰り返す。つまり、制御器３０１は、蓄電池収納装置１００から異常情報を受信するまで待機する。
【０１３６】
このように、サーバ装置３００は、異常情報を受信したときに、異常情報を通知してもよい。
【０１３７】
なお、上記の図９Ａ〜図９Ｃに示したサーバ装置３００の３種類の動作は、並列で行われてもよいし、少なくとも１種類の動作が行われていてもよいし、ユーザの設定に応じて
３種類の動作のうち選択された動作のみが行われるようにしてもよい。
【０１３８】
［１−２−３．情報端末の動作］
次に、管理システム１０の情報端末４００の動作を、図１０Ａ〜図１０Ｃを用いて以下に説明する。
【０１３９】
図１０Ａは、実施の形態１に係る情報端末の動作の一例を説明するためのフローチャートである。図１０Ｂは、実施の形態１に係る情報端末の動作の他の一例を説明するためのフローチャートである。図１０Ｃは、実施の形態１に係る情報端末の動作の他の一例を説明するためのフローチャートである。
【０１４０】
まず、情報端末４００の動作の一例について、図１０Ａを用いて説明する。
【０１４１】
情報端末４００では、制御器４０３がサーバ装置３００から通知された、蓄電池パック２００について確認された確認情報を受信する（Ｓ３０１）。
【０１４２】
制御器４０３は、サーバ装置３００から蓄電池パック２００の確認情報を受信すると、上記確認情報に含まれる位置情報および日時情報を表示器４０２に表示する（Ｓ３０２）。
【０１４３】
このように、図１０Ａでは、情報端末４００は、通知を受信すると、当該通知の内容を表示器４０２に表示する。
【０１４４】
なお、制御器４０３は、サーバ装置３００から通知された確認情報を受信したか否かを判定し、サーバ装置３００から通知された確認情報を受信したと判定すると、ステップＳ３０２を行ってもよい。このとき、制御器４０３は、サーバ装置３００から通知された確認情報を受信するまで待機する。
【０１４５】
また、情報端末４００は、次に示す図１０Ｂのような動作を行ってもよい。情報端末４００の動作の他の一例について、図１０Ｂを用いて説明する。
【０１４６】
情報端末４００では、制御器４０３が通信器４０４を介して蓄電池パック２００について確認された確認情報のうち異常情報を受信する（Ｓ３１１）。
【０１４７】
次に、制御器４０３は、受信した異常情報を表示器４０２に表示する（Ｓ３１２）。具体的には、制御器４０３は、異常情報を受信すると、異常情報を示す異常表示を表示器４０２に表示する。なお、必ずしも制御器４０３は、受信した異常情報を表示器４０２に表示しなくてもよい。
【０１４８】
次に、制御器４０３は、ユーザにより、上記確認情報のうち、蓄電池パック２００の所在について確認された情報の受信要求を示す入力が入力器４０１において為されたか否かを判定する（Ｓ３１３）。
【０１４９】
制御器４０３は、ユーザにより、蓄電池パック２００の所在について確認された情報の受信要求を示す入力が入力器４０１において為されたと判定すると（Ｓ３１３でＹｅｓ）、確認情報の受信要求をサーバ装置３００に送信する（Ｓ３１４）。
【０１５０】
一方で、制御器４０３は、ユーザにより、上記確認情報の受信要求を示す入力が入力器４０１において為されていないと判定すると（Ｓ３１３でＮｏ）、ステップＳ３１３を繰り返す。つまり、制御器４０３は、ユーザにより、上記確認情報の受信要求を示す入力が
入力器４０１において為されるまで待機する。
【０１５１】
ステップＳ３１４の後で、制御器４０３は、送信した上記確認情報の受信要求に対する応答として、蓄電池パック２００の所在について確認された情報を、通信器４０４を介してサーバ装置３００から受信する（Ｓ３１５）。ここで、蓄電池パック２００の所在について確認された情報には、蓄電池パック２００の所在が確認された位置情報と、蓄電池パック２００の所在が確認された日時情報とが含まれる。上記位置情報は、蓄電池パック２００が蓄電池収納装置１００の通信範囲内に位置した蓄電池収納装置１００の位置情報に対応する。上記日時情報は、蓄電池パック２００が蓄電池収納装置１００の通信範囲内に位置した日時情報に対応する。
【０１５２】
次に、制御器４０３は、上記確認情報に含まれる位置情報および日時情報を表示器４０２に表示する（Ｓ３１６）。
【０１５３】
このように、情報端末４００は、ユーザにより、蓄電池パック２００の所在について確認された情報の受信要求を示す入力が入力器４０１において為されると、確認情報の受信要求をサーバ装置３００に送信することで、上記確認情報を受信し、当該確認情報に基づく位置情報および日時情報を表示器４０２に表示してもよい。
【０１５４】
また、情報端末４００は、次に示す図１０Ｃのような動作を行ってもよい。情報端末４００の動作の他の一例について、図１０Ｃを用いて説明する。
【０１５５】
情報端末４００では、制御器４０３が通信器４０４を介して、蓄電池パック２００について確認された確認情報のうち、異常情報を受信する（Ｓ３２１）。
【０１５６】
次に、制御器４０３は、受信した異常情報の内容を表示器４０２に表示する（Ｓ３２２）。具体的には、制御器４０３は、異常情報を受信すると、異常情報を示す異常表示を表示器４０２に表示する。なお、必ずしも制御器４０３は、受信した確認情報に含まれる異常情報を表示器４０２に表示しなくてもよい。
【０１５７】
次に、制御器４０３は、サーバ装置３００から確認情報のうち、蓄電池パック２００の所在について確認された情報を受信する（Ｓ３２３）。なお、ステップＳ３２１とステップＳ３２３とは同時に行われてもよい。つまり、制御器４０３は、通信器４０４を介して、異常情報及び蓄電池パック２００の所在について確認された情報を共に含む確認情報を受信してもよい。ここで、蓄電池パック２００の所在について確認された情報には、蓄電池パック２００の所在が確認された位置情報と、蓄電池パック２００の所在が確認された日時情報とが含まれる。上記位置情報は、蓄電池パック２００が蓄電池収納装置１００の通信範囲内に位置した蓄電池収納装置１００の位置情報に対応する。上記日時情報は、蓄電池パック２００が蓄電池収納装置１００の通信範囲内に位置した日時情報に対応する。
【０１５８】
次に、制御器４０３は、ユーザにより、受信した蓄電池パック２００の所在について確認された情報を表示器４０２に表示させるための表示要求を示す入力が入力器４０１において為されたか否かを判定する（Ｓ３２４）。
【０１５９】
制御器４０３は、ユーザにより、受信した上記確認情報を表示器４０２に表示させるための表示要求を示す入力が入力器４０１において為されたと判定すると（Ｓ３２４でＹｅｓ）、受信した情報に含まれる位置情報および日時情報を表示器４０２に表示する（Ｓ３２５）。
【０１６０】
一方で、制御器４０３は、ユーザにより、受信した上記確認情報を表示器４０２に表示
させるための表示要求を示す入力が入力器４０１において為されていないと判定すると（Ｓ３２４でＮｏ）、ステップＳ３２４を繰り返す。つまり、制御器４０３は、ユーザにより、受信した上記確認情報を表示器４０２に表示させるための表示要求を示す入力が入力器４０１において為されるまで待機する。
【０１６１】
このように、情報端末４００は、ユーザにより、受信した上記確認情報を表示器４０２に表示させるための表示要求を示す入力が入力器４０１において為されると、受信した上記確認情報に含まれる位置情報および日時情報を表示器４０２に表示させるようにしてもよい。
【０１６２】
なお、ステップＳ３２１とステップＳ３２３とが同時に行われる場合、ステップＳ３２４で入力される表示要求は、異常情報及び蓄電池パック２００の所在について確認された情報を共に含む確認情報の表示要求となる。従って、ステップＳ３２４で表示入力があると、表示器４０２には、確認情報に含まれる異常情報、位置情報及び日時情報がともに表示される。
【０１６３】
［１−３．具体例］
上記で説明した管理システム１０の動作の具体例について、図１１〜図１４を用いて説明する。
【０１６４】
図１１は、実施の形態１に係る管理システムにより行われる動作の具体例を説明するための図である。
【０１６５】
ここでは、図１１に示すように、蓄電池パック２００Ａを備えた移動体５００が、盗難され、蓄電池収納装置１００Ｃ、蓄電池収納装置１００Ｂおよび蓄電池収納装置１００Ａの順に、各蓄電池収納装置の近くである近距離無線通信の通信範囲内を通過したことを例にして説明する。なお、蓄電池パック２００Ａは、上記で説明した外部の蓄電池パック２００であり、識別子が「ｘｘｘｘＡ」である蓄電池パックである。また、図１１の例は、図６とは異なり、トラック６００のような別の移動体を用いずに、移動体５００としての自転車が盗難された場合の例である。
【０１６６】
次に、管理システムの具体的な動作について、図１２を用いて説明する。
【０１６７】
図１２は、実施の形態１に係る管理システムの具体的な動作の一例を示すシーケンス図である。
【０１６８】
このとき、図１２に示すように、蓄電池パック２００Ａは、まず、蓄電池収納装置１００Ｃの近距離無線通信における通信範囲内を通過すると、蓄電池収納装置１００Ｃとの無線接続が確立されて、蓄電池パック２００Ａの識別子「ｘｘｘｘＡ」が蓄電池収納装置１００Ａに送信される（Ｓ４０１）。
【０１６９】
次に、蓄電池パック２００Ａから識別子「ｘｘｘｘＡ」を受信した蓄電池収納装置１００Ｃは、当該識別子と、当該識別子を受信した日時を示す日時情報と、当該蓄電池収納装置１００Ａが設置されている位置を示す位置情報とを対応付けた対応付けデータを生成し、生成した対応付けデータをサーバ装置３００に送信する（Ｓ４０２）。
【０１７０】
そして、蓄電池収納装置１００Ｃから対応付けデータを受信したサーバ装置３００は、受信した対応付けデータに基づき蓄電池パック２００について確認された確認情報を、蓄電池パック２００のユーザに、通知する（Ｓ４０３）。具体的には、サーバ装置３００は、ユーザの利用する情報端末４００に、位置情報および日時情報を通知する。ここで、上記位置情報は、蓄電池パック２００の所在が確認された位置情報であり、蓄電池パック２００が蓄電池収納装置１００の通信範囲内に位置した蓄電池収納装置１００の位置情報に対応する。また、上記日時情報は、蓄電池パック２００の所在が確認された日時情報であり、蓄電池パック２００が蓄電池収納装置１００の通信範囲内に位置した日時情報に対応する。
【０１７１】
このように、ステップＳ４０１〜ステップＳ４０３が行われることにより、情報端末４００では、情報端末４００のユーザにより指定された外部の蓄電池パック２００Ａが、蓄電池収納装置１００Ｃの近距離無線通信の通信範囲内に位置すると、蓄電池パック２００Ａの確認情報を受信する処理が行われると言える。
【０１７２】
そして、情報端末４００では、受信した確認情報に基づき蓄電池パック２００Ａの所在が確認された位置情報を表示器４０２に表示する（Ｓ４０４）。このとき、情報端末４００では、受信した確認情報に基づき、蓄電池パック２００Ａの所在が確認された位置情報とともに、蓄電池パック２００Ａの所在が確認された日時情報を表示器４０２に表示してもよい。
【０１７３】
蓄電池パック２００Ａが蓄電池収納装置１００Ｂの近距離無線通信における通信範囲内を通過すると、蓄電池パック２００Ａ、蓄電池収納装置１００Ｂおよびサーバ装置３００は、蓄電池パック２００Ａが蓄電池収納装置１００Ｃの近距離無線通信の通信範囲内を通過したときに行われたステップＳ４０１〜Ｓ４０４と同様にステップＳ４０５〜ステップＳ４０８の処理を行う。
【０１７４】
また、蓄電池パック２００Ａが蓄電池収納装置１００Ａの近距離無線通信における通信範囲内を通過すると、蓄電池パック２００Ａ、蓄電池収納装置１００Ａおよびサーバ装置３００は、蓄電池パック２００Ａが蓄電池収納装置１００Ｃの近距離無線通信の通信範囲内を通過したときに行われたステップＳ４０１〜Ｓ４０４と同様にステップＳ４０９〜ステップＳ４１２の処理を行う。つまり、図６の（１）〜（５）で説明した各動作が、蓄電池収納装置１００Ａ〜１００Ｃのそれぞれについて行われることになる。
【０１７５】
このようにして、ステップＳ４０１〜ステップＳ４１２の処理が行われると、サーバ装置３００には、ステップＳ４０２、ステップＳ４０６およびステップＳ４１０の処理が行われることで、図１３に示されるようなテーブルが生成される。なお、図１３は、実施の形態１に係るサーバ装置に蓄積される複数の対応付けデータであるテーブルの一例を示す図である。
【０１７６】
なお、図１３に示すテーブルでは、識別子が「ｘｘｘｘＡ」である蓄電池パック２００Ａによる対応付けデータの他に、識別子が「ｘｘｘｘＢ」である蓄電池パック２００Ｂによる対応付けデータも記録されている。図１３に示すように、サーバ装置３００は、複数の対応付けデータを蓄積している。つまり、１つの対応付けデータは、蓄電池収納装置１００が蓄電池パック２００から識別子を１回受信することで、日時情報及び位置情報と対応付けられることで生成されるデータである。また、テーブルでは、異常の有無も対応付けられている。つまり、蓄電池収納装置１００は、蓄電池パック２００から異常情報を含むパック情報を受信したときには、異常の有無のフィールドを「有」とした対応付けデータを生成し、異常情報を含まないパック情報を受信したときには、異常の有無のフィールドを「無」とした対応付けデータを生成する。つまり、図１３に示すテーブルでは、識別子が「ｘｘｘｘＡ」である蓄電池パック２００Ａに異常が生じていることが示されている。
【０１７７】
次に、情報端末４００に表示される画面について図１４を用いて説明する。
【０１７８】
図１４は、実施の形態１に係る管理システムの動作が行われたときに、情報端末に表示される画面の一例を示す図である。
【０１７９】
ここで、例えば、情報端末４００では、通知を受信すると（つまり、ステップＳ４０３、ステップＳ４０７およびステップＳ４１１のとき）、図１４の（ａ）に示すような、蓄電池パック２００Ａが接続されている自転車が発見された旨を示す画面４１０を表示してもよい。
【０１８０】
そして、その後に、画面４１０において、自転車（蓄電池パック２００Ａ）の所在について確認された情報を表示させる旨の指示を情報端末４００がユーザから受け付けると（図１４の（ａ）に示す指でのタップを参照）、図１４の（ｂ）に示すような、今までに自転車（蓄電池パック２００Ａ）の所在が確認された位置情報及び日時情報を示す画面４２０を表示してもよい。このとき、情報端末４００は、過去に蓄電池収納装置１００Ａ〜１００Ｃから送信された対応付けデータに基づきサーバ装置３００が通知した自転車（蓄電池パック２００Ａ）の確認情報からそれぞれの位置情報と日時情報とを対応付けたデータを履歴表示してもよい。なお、本例では、サーバ装置３００は、蓄電池収納装置１００Ａ〜１００Ｃからの対応付けデータを受信する度に、上記確認情報を都度通知しているが、これに限定されない。例えば、ユーザから自転車（蓄電池パック２００Ａ）の所在が確認された位置情報を表示させる旨の指示を受け付けたときに、上記確認情報の過去の履歴をまとめて通知してもよい。画面４２０では、蓄電池収納装置１００の位置情報として、蓄電池収納装置１００Ａ〜１００Ｃが設置されている住所、設置場所に関する情報を含む蓄電池収納装置の名称などの蓄電池収納装置１００Ａ〜１００Ｃの設置場所に関する文字情報が表示されてもよい。
【０１８１】
なお、例えば、図１４の（ｂ）で示される画面４２０では、ステップＳ３１２の処理が行われることにより、情報端末４００では、最新で自転車（蓄電池パック２００Ａ）の所在が確認された位置情報だけでなく、それ以前に自転車（蓄電池パック２００Ａ）の所在が確認された位置情報を含む履歴表示を行っている。しかしながら、これに限らずに、情報端末４００が受信した装置情報のうちで最新の装置情報に含まれる位置情報に基づいた画面を表示してもよい。つまり、例えば、ステップＳ４１２で表示器４０２に表示される画面は、画面４２０の（３）で示される位置情報のみが表示され、ステップＳ４０８で表示器４０２に表示される画面は、画面４２０の（２）で示される位置情報のみが表示されてもよい。
【０１８２】
さらに、その後に、画面４２０において、自転車（蓄電池パック２００Ａ）の所在が確認された位置情報を地図で表示させる旨の指示を情報端末４００がユーザから受け付けると（図１４の（ｂ）に示す指でのタップを参照）、図１４の（ｃ）に示すような、地図上において自転車（蓄電池パック２００Ａ）の所在が確認された位置を示すアイコン４３１などの地図情報が含まれる画面４３０を表示してもよい。画面４３０では、情報端末４００が過去に自転車（蓄電池パック２００Ａ）の所在が確認された位置情報のうちで最新で自転車（蓄電池パック２００Ａ）の所在が確認された位置情報に基づいた地図上の位置が表示される。なお、さらに、画面４３０において、ユーザの指示に基づいて、情報端末４００が過去に自転車（蓄電池パック２００Ａ）の所在が確認された位置情報の履歴に基づいた地図上の位置を表示させてもよい。その場合、自転車（蓄電池パック２００Ａ）の所在が確認された位置情報の変遷を示す情報を共に地図上に表示させてもよい。位置情報の変遷を示す情報は、例えば、地図上に表示された自転車（蓄電池パック２００Ａ）の複数の位置情報を結ぶ矢印であってもよいし、蓄電池パック２００Ａの所在が確認された日時情報であってもよい。
【０１８３】
情報端末４００では、過去の装置情報を含む複数の装置情報を、図示しないメモリに記憶させておき、当該メモリから装置情報を読み出して、履歴表示させてもよいし、最新の装置情報以外の過去の装置情報は、サーバ装置３００から受信して、履歴表示させてもよい。
【０１８４】
［１−４．効果等］
以上のように、本実施の形態に係る蓄電池収納装置１００は、外部の蓄電池パック２００が近距離無線通信器１０１の通信範囲内に位置すると、近距離無線通信器１０１を介して外部の蓄電池パック２００を識別する識別子を受信し、その後、通信器１０２を介して、識別子と蓄電池収納装置１００に関する装置情報とを対応付けしたデータをサーバ装置３００に出力する。つまり、蓄電池収納装置１００は、近距離無線通信器１０１の通信範囲内に位置する外部の蓄電池パック２００の識別子を受信し、外部の蓄電池パック２００の識別子と当該蓄電池収納装置１００に関する装置情報とを対応付けしたデータをサーバ装置３００に出力する。
【０１８５】
このため、ユーザは、例えば、サーバ装置３００にデータを問い合わせることにより、当該蓄電池パック２００が蓄電池収納装置１００と通信した記録を得ることができる。これにより、例えば、サーバ装置３００に出力される装置情報に蓄電池収納装置１００の位置情報が含まれていれば、サーバ装置３００は蓄電池パック２００の位置を推定できるため、ユーザは、外部の蓄電池パック２００の位置を知ることができる。また、例えば、サーバ装置３００に出力される装置情報に蓄電池収納装置１００の識別子が含まれており、かつ、サーバ装置３００が予め蓄電池収納装置１００の識別子と当該蓄電池収納装置１００の位置情報とを対応付けた位置情報を有していれば、サーバ装置３００は蓄電池パック２００の位置情報を推定できるため、ユーザは、外部の蓄電池パック２００の位置情報を知ることができる。従って、ユーザは、例えば、ユーザが所持している蓄電池パック２００が盗難されたときであっても、盗難された蓄電池パック２００を取り戻すための情報を得ることができるため、当該蓄電池収納装置１００は、盗難された蓄電池パック２００の所在を確認できないという状況の発生を低減することができる。
【０１８６】
また、制御器１０３は、通信器１０２を介して、蓄電池パック２００の識別子と、当該識別子を受信した日時情報と、蓄電池収納装置１００に関する情報とを対応付けしたデータをサーバ装置３００に出力する。このため、ユーザは、蓄電池パック２００が蓄電池収納装置１００と近距離無線通信を行った日時情報を知ることができる。
【０１８７】
また、蓄電池収納装置１００は、さらに、複数の蓄電池パック２００のそれぞれと電気的に接続される複数の接続器１０４と、外部電源と接続し、外部電源より蓄電池パック２００の充電用電力を受電する受電器１０５と、外部電源からの電力を用いて蓄電池パックを充電する充電器／放電器１０６とを備える。このように、蓄電池収納装置１００は、外部電源からの電力を用いて複数の蓄電池パック２００を充電できるため、ユーザは、蓄電池収納装置１００を、蓄電池パック２００を充電するための機器として利用できる。
【０１８８】
また、蓄電池収納装置１００は、さらに、蓄電池パック２００の電力を放電させる充電器／放電器１０６と、外部の電気機器と接続し、充電器／放電器１０６を介して複数の蓄電池パック２００の電力を、外部の電気機器に供給する給電器１０７と、を備える。このように、蓄電池収納装置１００は、複数の蓄電池パック２００の電力を外部の電気機器に供給できるため、ユーザは、例えば、非常用電源として蓄電池収納装置１００を利用できる。
【０１８９】
また、制御器１０３は、外部の蓄電池パック２００が近距離無線通信器１０１の通信範囲内に位置したときに、近距離無線通信器１０１を介して外部の蓄電池パック２００を識
別する識別子と外部の蓄電池パック２００に異常が生じていることを示す異常情報とを受信すると、通信器１０２を介して、受信した識別子と蓄電池収納装置１００に関する装置情報とを対応付けしたデータ、および、受信した異常情報をサーバ装置３００に出力する。このため、ユーザは、外部の蓄電池パック２００に異常が生じていることを知ることができる。
【０１９０】
（実施の形態２）
次に、図１５および図１６を用いて、実施の形態２を説明する。
【０１９１】
［２−１．構成］
図１５は、実施の形態２に係る蓄電池収納装置を含む管理システムの構成を示す概略図である。図１６は、実施の形態２に係る管理システムの構成を示すブロック図である。
【０１９２】
実施の形態２に係る管理システム１０ａにおける蓄電池収納装置１００ａは、実施の形態１に係る蓄電池収納装置１００と比較して、各構成要素が、図１５および図１６に示すように、第１ユニット１１０と第２ユニット１２０とに分離されている構成であることが異なる。
【０１９３】
以下、実施の形態１の蓄電池収納装置１００と異なる構成についてのみ説明する。
【０１９４】
蓄電池収納装置１００ａの第１ユニット１１０は、通信器１０２と、制御器１０３と、複数の接続器１０４と、受電器１０５と、充電器／放電器１０６と、給電器１０７と、受信器１１１とを備える。第１ユニット１１０は、屋内に設けられるユニットである。第１ユニット１１０は、例えば、コンビニエンスストアなどの店舗を構成する建物内に設けられる。なお、通信器１０２と、制御器１０３と、複数の接続器１０４と、受電器１０５と、充電器／放電器１０６と、給電器１０７とは、実施の形態１と同様であるため、説明を省略する。
【０１９５】
受信器１１１は、後述する第２ユニット１２０の備えられる送信器１２１から送信された蓄電池パック２００の識別子を受信する。
【０１９６】
制御器１０３は、受信器１１１より識別子を受信すると、通信器１０２を介して識別子と蓄電池収納装置１００ａに関する装置情報とを対応付けした対応付けデータをサーバ装置３００に出力する。
【０１９７】
第２ユニット１２０は、近距離無線通信器１０１と、送信器１２１とを備える。第２ユニット１２０は、屋外に設けられるユニットである。第２ユニット１２０は、例えば、コンビニエンスストアなどの店舗を構成する建物の外側に設けられ、当該建物の外壁、屋根、店舗の駐車スペースなどに設けられる。第２ユニット１２０は、図１６では、１つの蓄電池収納装置１００ａに１つだけ設けられるが、後述する図１７に示すように、１つの蓄電池収納装置１００ａに複数設けられてもよい。なお、近距離無線通信器１０１は、実施の形態１と同様であるため、説明を省略する。
【０１９８】
送信器１２１は、近距離無線通信器１０１を介して受信した外部の蓄電池パック２００の識別子を第１ユニット１１０の受信器１１１に送信する。
【０１９９】
実施の形態２では、第１ユニット１１０の受信器１１１と第２ユニット１２０の送信器１２１とは、通信線１３０により電気的に接続されている。なお、第１ユニット１１０の受信器１１１と第２ユニット１２０の送信器１２１とは、有線による通信に限らずに、無線による通信が行われてもよい。
【０２００】
実施の形態２の蓄電池収納装置１００ａにより行われる動作は、実施の形態１の蓄電池収納装置１００により行われる動作と同じであるため、動作についての説明は省略する。
【０２０１】
［２−２．動作］
以上のように構成された管理システム１０ａの動作の概略について、図１７を用いて以下に説明する。
【０２０２】
図１７は、実施の形態２に係る管理システムの動作の概略を説明するための図である。具体的には、図１７は、実施の形態１の図６と同様に、蓄電池パック２００が設けられた移動体５００が盗難され、蓄電池パック２００に異常が生じているときに、管理システム１０ａで行われる動作について説明するための図である。なお、図１７の（２Ａ）以外の動作は、図６で説明した動作と同様であるため、詳細な説明を省略する。
【０２０３】
図１７の（１）において、蓄電池パック２００が当該異常情報を蓄電池収納装置１００に送信すると、図１７の（２Ａ）に示すように、蓄電池収納装置１００ａに設けられる複数の第２ユニット１２０は、蓄電池パック２００から送信された異常情報が含まれるパック情報を受信する。なお、複数の第２ユニット１２０のうちの１つが、蓄電池パック２００からの異常情報を受信してもよいし、複数の第２ユニット１２０が互いに連携することにより蓄電池パック２００の異常情報を受信してもよい。
【０２０４】
具体的には、蓄電池パック２００との近距離無線通信において、蓄電池パック２００との電波状況がよい第２ユニット１２０で受信した信号を優先することが考えられる。例えば、蓄電池パック２００が移動している場合において、複数の第２ユニット１２０のうちで最も電波状況がよい第２ユニット１２０が変われば、変わった後において最も電波状況がよい第２ユニット１２０により受信した信号を優先するようにしてもよい。つまり、複数の第２ユニット１２０のうち蓄電池パック２００との電波状況が最もよい第２ユニット１２０で受信された信号を選択することにより、複数の第２ユニット１２０が互いに連携して蓄電池パック２００の異常情報を受信してもよい。
【０２０５】
［２−３．効果等］
以上のように、本実施の形態に係る蓄電池収納装置１００ａは、屋内に配置される第１ユニット１１０と、屋外に配置される第２ユニット１２０とに分離されることで、屋外に近距離無線通信を行う第２ユニット１２０を配置することができる。このため、蓄電池収納装置１００ａは、外部の蓄電池パック２００との近距離無線通信を感度よく行うことができる。
【０２０６】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【０２０７】
そこで、以下では、他の実施の形態を例示する。
【０２０８】
例えば、上記の各実施の形態では、蓄電池パック２００が盗難されたときを蓄電池パック２００に異常が生じた例として説明したが、これに限らない。例えば、蓄電池パックがジャイロセンサを備えているときには、電気機器に設置されている状態から所定の角度以上傾くことで大きく傾いているときに、蓄電池パックに異常が生じたと判定されてもよい。また、例えば、蓄電池パックが温度センサを備えているときは、蓄電池パックが所定の温度以上の高い温度の環境下にあるときに、蓄電池パック２００に異常が生じたと判定されてもよい。また、例えば、蓄電池パックが加速度センサを備えているときは、蓄電池パックが所定の加速度よりも速い加速度である速い加速度で移動しているときに、異常が生じたと判定されてもよい。
【０２０９】
また、上記の各実施の形態では、蓄電池パック２００の異常の判定は、蓄電池パック２００において行われているが、蓄電池収納装置１００、１００ａが行ってもよい。つまり、このとき、蓄電池パック２００の制御器２０３でユーザの認証が成功であったか否かの情報、ジャイロセンサの検出結果、温度センサの検出結果、加速度センサの検出結果などの蓄電池パック２００に関する情報が蓄電池パック２００の識別子とともに蓄電池収納装置１００に送信される。蓄電池収納装置１００は、蓄電池パック２００に関する情報に基づいて、当該蓄電池パック２００に異常が生じているか否かを判定してもよい。また、蓄電池パック２００の異常の判定は、サーバ装置３００が行ってもよい。具体的には、蓄電池パック２００の制御器２０３で行う上記判定を、サーバ装置３００の制御器３０１で実行する。
【０２１０】
また、上記の各実施の形態では、蓄電池パック２００は、異常が発生していないときであっても、蓄電池収納装置１００、１００ａの近距離無線通信器１０１の通信範囲内に位置したときに、近距離無線通信器１０１との無線接続を確立し、蓄電池パック２００の識別子を送信しているが、これに限らない。例えば、蓄電池パック２００は、異常が発生したときのみにおいて、蓄電池収納装置１００、１００ａの近距離無線通信器１０１の通信範囲内に位置したときに、近距離無線通信器１０１との無線接続を確立し、蓄電池パック２００の識別子および異常情報を送信してもよい。また、異常が発生したときのみにおいて、近距離無線通信器１０１との無線接続を確立する蓄電池パック２００であれば、識別子の他に異常情報を送信しなくてもよく、識別子を異常情報として送信してもよい。要するに、蓄電池収納装置は、異常が生じた蓄電池パックのみから識別子を受信することになるため、異常が生じている蓄電池パックの識別子と装置情報とを対応付けた対応付けデータをサーバ装置３００に送信することになる。このように、蓄電池パックは、異常が生じていないときには、蓄電池収納装置１００、１００ａの近距離無線通信器１０１の通信範囲内に位置しても無線接続を確立しないため、消費電力を低減できる。
【０２１１】
また、上記の各実施の形態では、蓄電池収納装置１００、１００ａは、蓄電池パック２００が蓄電池収納装置１００、１００ａの近距離無線通信器１０１の通信範囲内に位置すると、蓄電池パック２００に識別子の受信要求を送信することで、蓄電池パック２００の識別子を受信しているが、受信要求を送信することで蓄電池パック２００の識別子を受信することに限らない。例えば、蓄電池パック２００は、蓄電池収納装置１００の近距離無線通信器１０１の通信範囲内に位置することで、蓄電池収納装置１００との無線接続が確立されたとき、自主的に自身の識別子を蓄電池収納装置１００に送信するようにしてもよい。
【０２１２】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０２１３】
以上、本発明の一つまたは複数の態様に係る蓄電池パックおよび充電装置について、実施の形態に基づいて説明したが、本発明は、この実施の形態に限定されるものではない。本発明の趣旨を逸脱しない限り、当業者が思いつく各種変形を本実施の形態に施したもの、異なる実施の形態における構成要素を組み合わせて構築される形態なども、本発明の一
つまたは複数の態様の範囲内に含まれてもよい。
【産業上の利用可能性】
【０２１４】
本開示は、盗難された蓄電池パックの所在を確認できないという状況の発生を低減することができる蓄電池収納装置などとして有用である。
【符号の説明】
【０２１５】
１０、１０ａ    管理システム
１００、１００ａ、１００Ａ、１００Ｂ、１００Ｃ、１００Ｄ    蓄電池収納装置
１０１    近距離無線通信器
１０２    通信器
１０３    制御器
１０４    接続器
１０５    受電器
１０６    充電器／放電器
１０７    給電器
１１０    第１ユニット
１１１    受信器
１２０    第２ユニット
１２１    送信器
１３０    通信線
２００、２００Ａ、２００Ｂ    蓄電池パック
２０１    蓄電池
２０２    接続器
２０３    制御器
２０４    外部通信器
３００    サーバ装置
３０１    制御器
３０２    記憶部
３０３    通信器
４００    情報端末
４０１    入力器
４０２    表示器
４０３    制御器
４０４    通信器
４１０、４２０、４３０    画面
【図１】
2020074112.tif 000003
【図２】
2020074112.tif 000004
【図３】
2020074112.tif 000005
【図４】
2020074112.tif 000006
【図５】
2020074112.tif 000007
【図６Ａ】
2020074112.tif 000008
【図６Ｂ】
2020074112.tif 000009
【図７】
2020074112.tif 000010
【図８】
2020074112.tif 000011
【図９Ａ】
2020074112.tif 000012
【図９Ｂ】
2020074112.tif 000013
【図９Ｃ】
2020074112.tif 000014
【図１０Ａ】
2020074112.tif 000015
【図１０Ｂ】
2020074112.tif 000016
【図１０Ｃ】
2020074112.tif 000017
【図１１】
2020074112.tif 000018
【図１２】
2020074112.tif 000019
【図１３】
2020074112.tif 000020
【図１４】
2020074112.tif 000021
【図１５】
2020074112.tif 000022
【図１６】
2020074112.tif 000023
【図１７】
2020074112.tif 000024